(57)【要約】【課題】ネットワーク機器について、クロック周波数を制御することにより従来に比べて省電力を図ることができるようにする。【解決手段】ネットワークコントローラ２１３は、ネットワークを介して受信する受信フレームをバッファリングする受信バッファを備えている。仮想メモリブロック２１４の比較ブロックは、受信した受信フレームの内容を判定する。フレームステータス要求の受信フレームがあったときは、フレーム生成回路２１６は、ステータスレジスタ２１５にセットされているデータを送信フレームにして送り返す。仮想メモリブロック２１４の制御ブロックは、比較ブロックへの動作クロックの供給を制御する。仮想メモリブロック２１４は、受信バッファにバッファリングされている受信フレームの件数を所定の閾値と比較する。そして、制御ブロックは、この比較の結果に応じて前記動作クロックの周波数を可変する。【選択図】        図２
2004362282.tif 000002
【特許請求の範囲】
【請求項１】
ネットワーク接続されたコンピュータからの動作指令によって作動し、所定の条件が満たされた場合には本ネットワーク機器の一部の回路だけを稼動させて省電力を図る省電力モードの機能を備えているネットワーク機器において、
前記回路は、
前記ネットワークを介して外部機器と通信するネットワークインターフェイスとなる通信手段と、
前記通信手段を介して受信するデータをバッファリングする受信バッファと、
前記受信したデータの内容を判定する判定手段と、
前記判定の内容に応じて前記外部機器にデータを送信して応答する応答手段と、
前記判定手段への動作クロックの供給を制御する制御手段と、
前記受信バッファにバッファリングされているデータの件数を所定の閾値と比較する比較手段と、
を備え、
前記制御手段は、前記比較の結果に応じて前記動作クロックの周波数を可変すること、
を特徴とするネットワーク機器。
【請求項２】
前記制御手段は、前記検査手段が複数ある場合に、使用されていない検査手段、又は、前記検査の結果から目的のデータではないと判定した検査手段への前記動作クロックの供給を停止すること、を特徴とする請求項１に記載のネットワーク機器。
【請求項３】
前記応答手段は、前記判定手段が前記受信したデータはステータスを要求であると判定したときは、前記外部機器に本ネットワーク機器が前記省電力モードの状態であることを示すステータスを送信すること、を特徴とする請求項１又は２に記載のネットワーク機器。
【請求項４】
前記回路は、前記省電力モード状態において前記ネットワークへのリンクの確立及びリンクのダウンを検出するリンク検出手段を備え、
前記リンクのダウンを検出したときは、前記リンク検出手段及び本手段以外の前記回路への電力の供給を停止し、その後、前記リンクの確立を検出したときは、前記リンク検出手段及び本手段以外の前記回路への電力の供給を再開すること、
を特徴とする請求項１〜３のいずれかの一に記載のネットワーク機器。
【請求項５】
コンピュータとネットワーク機器とがネットワーク接続されているネットワークシステムにおいて、
前記ネットワーク機器は、ネットワーク接続されたコンピュータからの動作指令によって作動し、所定の条件が満たされた場合には本ネットワーク機器の一部の回路だけを稼動させて省電力を図る省電力モードの機能を備えていて、
前記回路は、
前記ネットワークを介して外部機器と通信するネットワークインターフェイスとなる通信手段と、
前記通信手段を介して受信するデータをバッファリングする受信バッファと、
前記受信したデータの内容を判定する判定手段と、
前記判定の内容に応じて前記外部機器にデータを送信して応答する応答手段と、
前記判定手段への動作クロックの供給を制御する制御手段と、
前記受信バッファにバッファリングされているデータの件数を所定の閾値と比較する比較手段と、
を備え、
前記制御手段は、前記比較の結果に応じて前記動作クロックの周波数を可変すること、
を特徴とするネットワークシステム。
【発明の詳細な説明】
【０００１】
【発明の属する技術分野】
本発明は、ネットワークインターフェイスを内蔵するネットワーク機器、例えば、複写機、プリンタ、それらの複合機、並びにそのようなネットワーク機器を含むネットワークシステムに関する。
【０００２】
【従来の技術】
近年、複数台のパーソナルコンピュータやプリンタ等をＬＡＮネットワークで接続し、データの共有やプリンタの共有を可能とするネットワークシステムが広く普及している。
【０００３】
図６は、そのようなネットワークシステムの一例を示す模式図である。図６に示すネットワークシステムでは、複数台のパーソナルコンピュータ１０１と出力装置２０１とがネットワーク３０１を介してデータ通信可能に接続されている。このようなネットワークシステム中、出力装置２０１としては、例えば、複写機、プリンタ、それらの複合機等の画像形成装置が用いられる。
【０００４】
一方、従来のパーソナルコンピュータでは、パワーマネジメント機能を搭載することが一般的になっている。このようなパワーマネジメント機能の中には、マイクロソフト社が開発した「オン−ナウ」パワーマネジメント機能のように、図６に例示するネットワークシステムでの使用に適したものとなっているものがある。つまり、このようなパワーマネジメント機能では、データの送信先が省電力モードになっていたとしても、ある特定のパケットを送信することによって省電力モードから復帰させ、データの送信元と送信先がデータ通信を開始することを可能にする。このようなパワーマネジメント機能を前提として、送信先である例えば出力装置２０１が備える図示しないネットワークインターフェイスは、機器のそれ以外の部分が低電力状態にある間もネットワーク３０１上のフレームを監視し、ソフトウェアにより登録された特定のフレームを探す。そして、出力装置２０１のネットワークインターフェイスがそのようなフレームの１つを検出すると、ネットワークインターフェイスは出力装置２０１のシステムを起動、復帰させるための信号を出力する。
【０００５】
【特許文献１】
特開２０００−１４１８３１公報
【０００６】
【発明が解決しようとする課題】
しかしながら、前述のようなパワーマネジメント機能を用いる場合に、出力装置２０１が省電力モードにあってもネットワークインターフェイスは常に稼動しており、さらなる省電力を図るために、ネットワークインターフェイスの節電を図りたい。
【０００７】
一方、回路の消費電力は、その動作周波数に依存している。動作周波数が低くなれば、その分消費電力が下がることは周知の事実である。
【０００８】
本発明の目的は、ネットワーク機器について、クロック周波数を制御することにより従来に比べて省電力を図ることができるようにすることである。
【０００９】
【課題を解決するための手段】
請求項１に記載の発明は、ネットワーク接続されたコンピュータからの動作指令によって作動し、所定の条件が満たされた場合には本ネットワーク機器の一部の回路だけを稼動させて省電力を図る省電力モードの機能を備えているネットワーク機器において、前記回路は、前記ネットワークを介して外部機器と通信するネットワークインターフェイスとなる通信手段と、前記通信手段を介して受信するデータをバッファリングする受信バッファと、前記受信したデータの内容を判定する判定手段と、前記判定の内容に応じて前記外部機器にデータを送信して応答する応答手段と、前記判定手段への動作クロックの供給を制御する制御手段と、前記受信バッファにバッファリングされているデータの件数を所定の閾値と比較する比較手段と、を備え、前記制御手段は、前記比較の結果に応じて前記動作クロックの周波数を可変すること、を特徴とするネットワーク機器である。
【００１０】
したがって、ネットワークのトラヒックに連動して、受信バッファのデータ件数に余裕があるときは判定手段における動作クロック周波数を下げて省電力を図り、受信バッファのデータ件数が多くなったときは判定手段における動作クロック周波数を上げて判定手段の処理を促進して、受信バッファのオーバーフローを防ぐことにより、よりきめ細かな省電力制御ができる。
【００１１】
請求項２に記載の発明は、請求項１に記載のネットワーク機器において、前記制御手段は、前記検査手段が複数ある場合に、使用されていない検査手段、又は、前記検査の結果から目的のデータではないと判定した検査手段への前記動作クロックの供給を停止すること、を特徴とする。
【００１２】
したがって、省電力モード中に動作が不要になった検査手段を停止させて、一層の省電力効果をもたらすことができる。
【００１３】
請求項３に記載の発明は、請求項１又は２に記載のネットワーク機器において、前記応答手段は、前記判定手段が前記受信したデータはステータスを要求であると判定したときは、前記外部機器に本ネットワーク機器が前記省電力モードの状態であることを示すステータスを送信すること、を特徴とする。
【００１４】
したがって、省電力モードにあるネットワーク機器の状態を何ら損なうことなく、外部機器においてネットワーク機器が省電力モードにあることを確認することができる。
【００１５】
請求項４に記載の発明は、請求項１〜３のいずれかの一に記載のネットワーク機器において、前記回路は、前記省電力モード状態において前記ネットワークへのリンクの確立及びリンクのダウンを検出するリンク検出手段を備え、前記リンクのダウンを検出したときは、前記リンク検出手段及び本手段以外の前記回路への電力の供給を停止し、その後、前記リンクの確立を検出したときは、前記リンク検出手段及び本手段以外の前記回路への電力の供給を再開すること、を特徴とする。
【００１６】
したがって、ネットワークへのリンクがダウンしたときは省電力モード中でも稼動している回路の電力を一層削減して、さらなる省電力効果をもたらすことができる。
【００１７】
請求項５に記載の発明は、コンピュータとネットワーク機器とがネットワーク接続されているネットワークシステムにおいて、前記ネットワーク機器は、ネットワーク接続されたコンピュータからの動作指令によって作動し、所定の条件が満たされた場合には本ネットワーク機器の一部の回路だけを稼動させて省電力を図る省電力モードの機能を備えていて、前記回路は、前記ネットワークを介して外部機器と通信するネットワークインターフェイスとなる通信手段と、前記通信手段を介して受信するデータをバッファリングする受信バッファと、前記受信したデータの内容を判定する判定手段と、前記判定の内容に応じて前記外部機器にデータを送信して応答する応答手段と、前記判定手段への動作クロックの供給を制御する制御手段と、前記受信バッファにバッファリングされているデータの件数を所定の閾値と比較する比較手段と、を備え、前記制御手段は、前記比較の結果に応じて前記動作クロックの周波数を可変すること、を特徴とするネットワークシステムである。
【００１８】
したがって、ネットワークのトラヒックに連動して、受信バッファのデータ件数に余裕があるときは判定手段における動作クロック周波数を下げて省電力を図り、受信バッファのデータ件数が多くなったときは判定手段における動作クロック周波数を上げて判定手段の処理を促進して、受信バッファのオーバーフローを防ぐことにより、よりきめ細かな省電力制御ができる。
【００１９】
【発明の実施の形態】
本発明の一実施の形態について説明する。
【００２０】
本実施の形態は、例えば、前述の図６に例示したプリンタとして機能する出力装置２０１に適用される。したがって、出力装置２０１は、本発明のネットワーク機器を実施するものであって、ネットワーク接続されたパーソナルコンピュータ１０１からの動作指令によって作動する。また、出力装置２０１は、所定の条件、例えば、使用されることなく一定時間稼動したときには、一部の回路（後述の直接アクセス制御ユニット２１２）だけを稼動させて省電力を図る省電力モードの機能を備えている。
【００２１】
図１は、直接アクセス制御ユニット２１２が組み込まれたＡＳＩＣ２１１を有する出力装置２０１の一例を示すブロック図である。この出力装置２０１は一例としてプリンタである。
【００２２】
本実施の形態のＡＳＩＣ２１１には、後述する直接アクセス制御ユニット２１２の機能以外に様々な機能が搭載されている。このような機能を実行するために、ＡＳＩＣ２１１は、ＤＭＡ（Ｄｉｒｅｃｔ  Ｍｅｍｏｒｙ  Ａｃｃｅｓｓ）コントローラ２１７に接続されるメモリ調停ブロック（メモリ・アービタ）２３１を備える。そして、このメモリ調停ブロック２３１は、ＣＰＵインターフェイス２３２を介してＣＰＵ２５２に接続し、メモリコントローラ２３３を介してメモリ２５３に接続する。したがって、ＤＭＡコントローラ２１７は、ＣＰＵ２５２と共有のメモリ２５３にアクセスする機能を有する。また、ＤＭＡコントローラ２１７は、ＨＤＤインターフェイス２３４を介してのＨＤＤ２５４に接続し、プリンタエンジンインターフェイス２３５を介してシステム２５１中のプリンタエンジン２５５（出力装置２０１をプリンタとして実施する場合）に接続し、ＩＥＥＥ１２８４インターフェイス２３６を介してシリアルインターフェイス２５６に接続している。
【００２３】
ここで、出力装置２０１が省電力モード時である場合には、図１中、破線で囲んで示す後述の直接アクセス制御ユニット２１２の電源及びクロック（電源２／クロック２）以外の電源及びクロック（電源１／クロック１）の供給を停止する。これにより、出力装置２０１が省電力モードへの移行命令を受け取った後は、直接アクセス制御ユニット２１２だけが各種の制御を実行することになる。そして、省電力モードからの復帰命令を受け取った場合には、出力装置２０１に対して、停止していた直接アクセス制御ユニット２１２以外電源及びクロック（電源１／クロック１）の供給を再開させる。
【００２４】
図２は、ＡＳＩＣ２１１に含まれる直接アクセス制御ユニット２１２の回路構成を示すブロック図である。直接アクセス制御ユニット２１２は、ＭＡＣ（Ｍｅｄｉａ  Ａｃｃｅｓｓ  Ｃｏｎｔｒｏｌｌｅｒ）構成のネットワークコントローラ２１３と、仮想メモリブロック２１４と、ステータス情報及び送信元アドレスを保存しておくステータスレジスタ２１５と、送信フレームを生成するフレーム生成回路２１６と、ＤＭＡコントローラ２１７と、リンク検出ブロック２２０（リンク検出手段）とから構成されている。これらの各回路部２１３〜２１７，２２０は、ハードウェアとしての回路によって構成されている。また、これらの各回路部２１３〜２１７，２２０、及び、物理層を構成する部分２１８（後述）は、パワーマネジメント機能による省電力モードの際においても唯一電源がオフにならずに給電される回路である。
【００２５】
ネットワークコントローラ２１３は、例えばＭＩＩに代表される物理層を構成する部分２１８とのネットワークインターフェイスとなるインターフェイス２１９（通信手段）を介して接続され、物理層を構成する部分２１８を経由してネットワーク３０１に接続される。また、ネットワーク３０１から受信したパケットのバッファとなる受信バッファ（図示せず）を備えている。
【００２６】
ＤＭＡコントローラ２１７は、出力装置２０１において省電力モードが設定されている場合に、バス接続を出力装置２０１のシステムから直接アクセス制御ユニット２１２に切り替える。
【００２７】
リンク検出ブロック２２０は、省電力モード時にネットワーク３０１のリンク状態の変化を検出し、リンクがダウン（ネットワーク３０１が機能していない）状態になった場合には、仮想メモリブロック２１４とリンク検出ブロック２２０以外へのクロック信号の供給を停止させる信号を出力するとともに、リンク信号の変化を仮想メモリブロック２１４に通知する。リンクがダウンした場合、仮想メモリブロック２１４は、各回路２１３，２１５〜２１７をすべて停止させる。これにより、省電力の効果を最大にすることができる。この後、リンクが復活（ネットワーク接続の復元）した場合、出力装置２０１をネットワーク３０１上で認識させる必要があるため、仮想メモリブロック２１４は仮想メモリブロック２１４を経由し、各回路２１３，２１５〜２１７の電源の起動要求を発行することになる。
【００２８】
仮想メモリブロック２１４（比較手段）は、ネットワークコントローラ２１３の受信バッファの状態を常に監視している。そして、受信バッファ内に蓄積されている受信フレームの件数があらかじめ設定された閾値以上になった場合は、後述する図４に示す回路を用いて、直接アクセス制御ユニット２１２に供給するクロック信号を高周波のものに切り替える。逆に受信バッファ内の受信フレームの件数が閾値以下になった場合は、同じく図４の回路により低周波のクロック信号に切り替える。図４においては、ｃｌｋ＿ｂが高周波のクロック信号、ｃｌｋ＿ｃが低周波のクロック信号、ｅｎａｂｌｅ＿ｍがクロックの停止と動作の切換え信号、ｂｕｆｆｅｒ＿ａｌａｒｍがネットワークコントローラ２１３の受信バッファの状態を表す信号となる。
【００２９】
仮想メモリブロッ２１４は、出力装置２０１を省電力モードから抜けさせることを指示するウェイクアップ要求フレームを、パーソナルコンピュータ１０１から受信した場合は、システムに電源供給するための起動要求信号を出力し、ステータス要求を含むフレームを受信したときは、送信元のアドレスを抽出する機能を有している。抽出された送信元のアドレスはフレーム生成回路２１６に送られ、フレーム生成回路２１６はステータスレジスタ２１５に記憶されているステータス情報及び送信元アドレス（自機のアドレス）の内容から送信フレームを構築し、仮想メモリブロック２１４に引き渡す。仮想メモリブロック２１４は、ＤＭＡコントローラ２１７を介してパーソナルコンピュータ１０１（図６参照）である送信元へ送信を開始する。これらの動作は、すべて、あらかじめ設定された内容に沿って、ハードウェア構成された直接アクセス制御ユニット２１２が実行する。システム中の他の回路やソフトウェアは、上記動作に影響を与えない。
【００３０】
このような回路構成を用いることにより、省電力モードの状態を変更することなく、送信元であるパーソナルコンピュータ１０１にステータスを送信することも可能になる。送信元であるパーソナルコンピュータ１０１では、後述する図６のような処理により、出力先である出力装置２０１の状態を確認し、出力先の自動変更や省電力モードから復帰させてのデータ出力などを行なわせることも可能となる。
【００３１】
図３は、仮想メモリブロック２１４内部で、ネットワークコントローラ２１３が受信するパケットを監視し、ソフトウェアにより登録された特定の種類のフレームを探す比較ブロック２２２（判定手段）と、この比較ブロック２２２の動作クロックを生成する制御ブロック２２３（制御手段）とを示すブロック図である。出力装置２０１は、前述のマイクロソフト社の「オン−ナウ」パワーマネジメント機能などのパワーマネジメント機能に対応し、各比較ブロック２２２において、ネットワークコントローラ２１３の受信バッファでバッファリングしたフレームの内容を検査する。例えば、出力装置２０１を省電力モードから復帰させることを指示するパケットを比較ブロック２２２で検出したときは、直接アクセス制御ユニット２１２は出力装置２０１のシステムを起動、復帰させるための信号を出力することとなる。搭載する比較ブロック２２２、制御ブロック２２３のブロック数は、ＡＳＩＣ２１１により異なる。また、使用するブロック数も、ＡＳＩＣ２１１の搭載機器やシステム構成によって異なってくる。システム上すべての比較ブロック２２２を使用するとは限らないので、使用しないブロックへのクロック信号の供給を停止させることで、消費電力をさらに低減することが可能になる。
【００３２】
また、比較ブロック２２２は受信したフレームの検査の結果、目的のフレームではないことを検出した場合、該当する比較ブロック２２２へのクロック信号の供給は停止しても構わない。よって、このような不一致を検出したらｄｉｓｃｏｒｄ信号を制御ブロック２２３へアサートして、クロック信号の供給を停止するようにしている。
【００３３】
さらに、ネットワークコントローラ２１３は、仮想メモリブロック２１４に渡す有効な受信フレームを識別すると、有効なフレームを受信した旨の信号を仮想メモリブロック２１４に対し発行する。仮想メモリブロック２１４の比較ブロック２２２には、この信号を受けることで制御ブロック２２３からのクロックの供給が始まる。受信フレームの検査処理が終了し、かつ、次の有効なフレームの受信がないときは（そのような信号がアサートされていない場合は）、制御ブロック２２３からのクロック信号の供給が停止する。
【００３４】
そして、これらのきめ細かなクロック制御により、省電力モード時における消費電力をいっそう低減できることになる。
【００３５】
図４は、制御ブロック２２３の一構成例を示す回路図であり、図５は、図４の回路の動作を説明するタイミングチャートである。図４において、制御ブロック２２３は、フリップフロップ２６１〜２６４、オア回路２６５〜２６７、アンド回路２６８により構成される。信号ｅｎａｂｌｅ＿ｍは、比較ブロック２２２、制御ブロック２２３の動作許可信号であり、信号ｅｎａｂｌｅ＿ｍがＨレベルにあるときに比較ブロック２２２、制御ブロック２２３は動作許可状態であり、制御ブロック２２３により比較ブロック２２２への動作許可信号ｅｎ＿ｍ＿ｇａｔｅが出力される。また、比較ブロック２２２に対して、その動作クロックとなるクロック信号ｃｌｋ＿ｍ＿ｇａｔｅが周波数をコントロールされて出力される。
【００３６】
ここでは、制御ブロック２２３は、元となるクロック信号ｃｌｋ＿ａを所定の分周器で分周したクロック信号ｃｌｋ＿ｂ、さらに、これを分周したクロック信号ｃｌｋ＿ｃを用いる。信号ｂｕｆｆｅｒ＿ａｌａｒｍは、ネットワークコントローラ２１３の受信バッファ内に蓄積されている受信フレームの件数と閾値との比較結果を示し、信号ｂｕｆｆｅｒ＿ａｌａｒｍがＨレベル信号であるときは受信フレームの件数が閾値を下回り、Ｌレベル信号であるときは受信フレームの件数が閾値を上回っているものとすると、フリップフロップ２６１，２６２、オア回路２６５，２６６により、信号ｂｕｆｆｅｒ＿ａｌａｒｍがＬレベルとなって以降、（Ａ）ポイントには周波数が高いクロック信号ｃｌｋ＿ｂが現れ、信号ｂｕｆｆｅｒ＿ａｌａｒｍがＬレベルになる以前、（Ｂ）ポイントには周波数が低いクロック信号ｃｌｋ＿ｃが現れ、この両信号は、アンド回路２６８により合成されて一本のクロック信号ｃｌｋ＿ｍ＿ｇａｔｅとなる。
【００３７】
次に、ネットワークユーザが出力装置２０１を使用する場合の処理について説明する。前述のマイクロソフト社の「オン−ナウ」パワーマネジメント機能のようなパワーマネジメント機能を備えたパーソナルコンピュータ１０１を用いるネットワークユーザは、データを送信する前に複数の出力装置２０１に対してステータスを要求することができる。そして、省電力モードにある出力装置２０１では、仮想メモリブロック２１４がステータス要求の受信フレームであることを認識し、受信フレームから送信元のアドレスを抽出する。フレーム生成回路２１６は、送信元アドレスを送信先アドレスとし、ステータスレジスタ２１５にセットされているデータを送信フレームにして送り返す（応答手段）。これにより、ネットワークユーザは、省電力モードにあるか否かにかかわらず、すべての出力装置２０１から応答を受け取ることができる。しかも、この場合に出力装置２０１は省電力モードを維持したまま応答することができる。
【００３８】
これにより、ネットワークユーザは、目的の出力装置２０１が省電力モードにある場合にあるか否かを把握することができ、その出力装置２０１を省電力モードから復帰させてデータを出力させる（プリントアウトなど）か、あるいは、別の省電力モードにない出力装置２０１から出力させるか、を選択することが可能になる。
【００３９】
省電力モードにある出力装置２０１でデータを出力させる場合には、該当する出力装置２０１に対して、省電力モードから復帰させるコマンドを送信した後に、出力データを送信する。必要ならば、データ出力後に、再度省電力モードに移行させるコマンドを該当する出力装置２０１に対して送信するようにしてもよい。
【００４０】
【発明の効果】
請求項１，５に記載の発明は、ネットワークのトラヒックに連動して、受信バッファのデータ件数に余裕があるときは判定手段における動作クロック周波数を下げて省電力を図り、受信バッファのデータ件数が多くなったときは判定手段における動作クロック周波数を上げて判定手段の処理を促進して、受信バッファのオーバーフローを防ぐことにより、よりきめ細かな省電力制御ができる。
【００４１】
請求項２に記載の発明は、請求項１に記載の発明において、省電力モード中に動作が不要になった検査手段を停止させて、一層の省電力効果をもたらすことができる。
【００４２】
請求項３に記載の発明は、請求項１又は２に記載の発明において、省電力モードにあるネットワーク機器の状態を何ら損なうことなく、外部機器においてネットワーク機器が省電力モードにあることを確認することができる。
【００４３】
請求項４に記載の発明は、請求項１〜３のいずれかの一に記載の発明において、ネットワークへのリンクがダウンしたときは省電力モード中でも稼動している回路の電力を一層削減して、さらなる省電力効果をもたらすことができる。
【図面の簡単な説明】
【図１】本発明の一実施の形態である出力装置が有する直接アクセス制御ユニットが組み込まれたＡＳＩＣの一例を示すブロック図である。
【図２】ＡＳＩＣに含まれる直接アクセス制御ユニットの回路構成を示すブロック図である。
【図３】仮想メモリブロックの内部に設けられた受信フレーム比較ブロックを示すブロック図である。
【図４】制御ブロックの回路図である。
【図５】図４の回路の動作を説明するタイミングチャートである。
【図６】複数台のパーソナルコンピュータやプリンタ等をＬＡＮネットワークで接続し、データの共有やプリンタの共有を可能とするネットワークシステムの従来の一例を示す模式図である。
【符号の説明】
２０１      ネットワーク機器
２１４      比較手段
２１９      通信手段
２２０      リンク検出手段
２２２      判定手段
２２３      制御手段
３０１      ネットワーク
【図１】
2004362282.tif 000003
【図２】
2004362282.tif 000004
【図３】
2004362282.tif 000005
【図４】
2004362282.tif 000006
【図５】
2004362282.tif 000007
【図６】
2004362282.tif 000008